(57)【要約】【課題】  球送り機構内に配置されたパチンコ球を発射位置に送り出すためのレバーを揺動させるソレノイド装置の同レバーに対する磁気的吸引力の強さを向上させることが可能なパチンコ遊技機を提供すること。【解決手段】  パチンコ球発射機構にパチンコ球を送る球送り機構を備えたパチンコ遊技機において、球送り機構内にはソレノイド装置６３と同ソレノイド装置６３によって磁気吸引される金属片７０を装着したレバー６５が配置される。レバー６５の揺動によってパチンコ球は１つずつ発射機構方向に送られる。この際にソレノイド装置６３のソレノイド１０５を包囲する磁気力を発揮する下垂部１１３に金属片７０の側端部と非接触状態で対向配置される耳部１１５を突出形成し、金属片７０への下垂部１１３に対する磁気吸引力を向上させるようにする。【選択図】      図６
2011152453.tif 000002
【特許請求の範囲】
【請求項１】
パチンコ球をレール部材方向に流下させる流下通路と、同流下通路を流下してくるパチンコ球を同レール部材の直前で一旦停止させるとともにパチンコ球を１つずつ同レール部材方向に送る球送り機構と、同球送り機構から送り出されたパチンコ球を同レール部材に案内させながら遊技領域に向かって発射するパチンコ球発射機構とを備えたパチンコ遊技機において、
前記球送り機構は、
ソレノイドと、同ソレノイド内部に配置され両端に磁極を発生させる強磁性体からなる
磁心と、同磁心の一端から両側方に向かって延出され同ソレノイド外周を包囲して同磁心
の他端方向に進出する左右一対の強磁性体からなる脚部とを有するソレノイド装置と、
揺動基部となる揺動軸と、前記ソレノイド装置が通電されることによって発生する磁気
力によって吸引される吸引プレートと、同球送り機構内に導入されたパチンコ球を保持す
る保持部とを有するレバーを備え、
同レバーを前記ソレノイド装置が励磁状態にある場合には前記吸引プレート表面が前記
両脚部の端部に吸引され、同ソレノイド装置が非励磁状態にある場合には同吸引プレート
表面が同両脚部の端部から離間することで同球送り機構内に導入されたパチンコ球を保持
し得る第１の位置と、パチンコ球を前記レール部材方向に流下させ得る第２の位置との間
を揺動するようにし、
前記ソレノイド装置における前記両脚部のうち、少なくとも前記レバーの前記揺動軸側
に配置された同脚部の端部には前記吸引プレートの側端部と非接触状態で対向配置される
耳部を突出形成したことを特徴とするパチンコ遊技機。
【発明の詳細な説明】
【技術分野】
【０００１】
本発明は、パチンコ球をパチンコ球発射装置に発射可能に安定供給するための球送り機構を有するパチンコ遊技機に関するものである。
【背景技術】
【０００２】
パチンコ遊技機においては遊技者の能動的なハンドル操作によってパチンコ球発射機構
を駆動させパチンコ球を発射させることで遊技が実行される。パチンコ球発射機構から発
射されたパチンコ球はレールに沿って弧を描きながら上方に導かれ遊技領域内に放出され
ることとなる。
封入式以外の一般のパチンコ遊技機において上受け皿に貯留されたパチンコ球は上受け
皿から流下通路によって導かれてパチンコ球発射機構に供給されるようになっている。流
下通路の最下部位置、つまりパチンコ球発射機構に隣接した位置には球送り機構が配設さ
れている。流下通路を流下するパチンコ球は球送り機構を経由してパチンコ球発射機構に
よって打ち出しされるレール上の所定位置に送られるようになっている。球送り機構はパ
チンコ球発射機構の発射動作に同期してパチンコ球を１つずつレール上に送り出していく
。このような従来の球送り機構が開示されたパチンコ遊技機の一例として特許文献１を示
す。
パチンコ遊技機のこの種の球送り機構ではレバーの揺動動作によって球送り機構に導入
されたパチンコ球が１つずつレール方向に送られるようになっている。レバーは球送り機
構内に配置されたソレノイド装置の駆動によって揺動する。つまりにソレノイド装置が通
電されることによって励磁されるため、その磁気的吸引力によってレバーに装着された鉄
合金のような強磁性体からなる吸引プレートが吸引されてレバーが揺動するようになって
いる。
【特許文献１】特開２００５−１０２７７０号公報
【発明の概要】
【発明が解決しようとする課題】
【０００３】
ところで、最近のパチンコ遊技機は特に目視しやすさや遊技時の臨場感や豪華さ等の遊
技性の向上の観点から遊技面を大きく設計する傾向にある。
一方、パチンコホールではパチンコ遊技機は規格化された島設備に取り付けるためパチ
ンコ遊技機全体のサイズを大きくするわけにはいかず、その結果遊技面以外の機構部はよ
りコンパクトになる傾向である。このような事情から球送り機構においても従来からコン
パクト化が求められている。
ここに、球送り機構に配設される構成部材で最もスペースを要するのが上記ソレノイド
装置である。しかし、ソレノイド装置の大きさは装置の能力、つまり磁気的吸引力の強さ
に直結するため単に小さくすればよいのではなく、パチンコ球発射機構のパチンコ球の発
射速度に同期させてレバーを揺動させ得るだけの能力を維持しなければならない。そのた
めこのようなスペース的に制限のある球送り機構内でソレノイド装置の磁気的吸引力をよ
り向上させるような手段が求められていた。
本発明は、このような従来の技術に存在する問題点に着目してなされたものである。そ
の目的とするところは、球送り機構内に配置されたパチンコ球を発射位置に送り出すため
のレバーを揺動させるソレノイド装置の同レバーに対する磁気的吸引力の強さを向上させ
ることが可能なパチンコ遊技機を提供するものである。
【課題を解決するための手段】
【０００４】
上記の目的を達成するために請求項１の発明では、パチンコ球をレール部材方向に流下
させる流下通路と、同流下通路を流下してくるパチンコ球を同レール部材の直前で一旦停
止させるとともにパチンコ球を１つずつ同レール部材方向に送る球送り機構と、同球送り
機構から送り出されたパチンコ球を同レール部材に案内させながら遊技領域に向かって発
射するパチンコ球発射機構とを備えたパチンコ遊技機において、前記球送り機構は、ソレ
ノイドと、同ソレノイド内部に配置され両端に磁極を発生させる強磁性体からなる磁心と
、同磁心の一端から両側方に向かって延出され同ソレノイド外周を包囲して同磁心の他端
方向に進出する左右一対の強磁性体からなる脚部とを有するソレノイド装置と、揺動基部
となる揺動軸と、前記ソレノイド装置が通電されることによって発生する磁気力によって
吸引される吸引プレートと、同球送り機構内に導入されたパチンコ球を保持する保持部と
を有するレバーを備え、同レバーを前記ソレノイド装置が励磁状態にある場合には前記吸
引プレート表面が前記両脚部の端部に吸引され、同ソレノイド装置が非励磁状態にある場
合には同吸引プレート表面が同脚部の端部から離間することで同球送り機構内に導入され
たパチンコ球を保持し得る第１の位置と、パチンコ球を前記レール部材方向に流下させ得
る第２の位置との間を揺動するようにし、前記ソレノイド装置における前記両脚部のうち
、少なくとも前記レバーの前記揺動軸側に配置された同脚部の端部には前記吸引プレート
の側端部と非接触状態で対向配置される耳部を突出形成したことをその要旨とする。
【０００５】
上記のような構成では、パチンコ遊技機においてパチンコ球発射機構にパチンコ球を送
る球送り機構は、流下通路を流下してくるパチンコ球が導入口から導入されるとレバーが
ソレノイド装置によって第１の位置と第２の位置との間で揺動することでパチンコ球は１
つずつレール部材方向に流下する。
レバーはソレノイド装置が給電されるて励磁状態にある場合にはその吸引プレート表面
が両脚部の端部に吸引される。また、ソレノイド装置が非励磁状態にある場合には同吸引
プレート表面が同脚部の端部から離間する。この励磁・非励磁状態によってレバーは揺動
して第１及び第２の位置を取りうる。レバーが第１の位置にある場合にパチンコ球を保持
させ、第２の位置にある場合にパチンコ球をレール部材方向に流下させるようにしてもそ
の逆であっても構わない。尚、吸引プレートは両脚部の端部に完全に吸着されていなくと
も構わない。
このような関係にあるソレノイド装置とレバーとにおいて少なくともレバーの揺動軸側
に配置された脚部の端部には吸引プレートの側端部と非接触状態で対向配置される耳部が
形成されている。
【０００６】
このような耳部が形成されることでソレノイド装置の吸引プレートに対する磁気的吸引
力が強くなる。このように磁気的吸引力が強くなるのは次のような理由が想定される。
ソレノイド装置が励磁状態にある場合では吸引プレートはソレノイド装置の磁界に置か
れることとなって磁気誘導されて磁化される。磁心の一端から延出される脚部の端部はＮ
極又はＳ極の磁針となり、磁化された吸引プレートは脚部の端部に吸引される。磁束は空
中では互いに反発しあうため図１８（ａ）に示すように吸引プレートへの磁束は耳部がな
い場合には外方向に広がる傾向となり磁束の空中への漏れが大きい。ところが、図１８（
ｂ）のように耳部があると磁束は耳部方向に導かれるため外方に漏れにくくなおかつ耳部
が吸引プレートの側端部に近接している（ギャップが小さい）ため磁束も脚部の端部に向
かいやすく吸引プレート内部を通過して磁心の他端に向かうようになる。
このように磁束の漏れが少なくなることと、耳部が吸引プレートの側端部に近接するこ
とによって磁気的吸引力を向上させることができると考えられるので、同じ能力のソレノ
イド装置において脚部の端部に耳部を突出形成させるほうが吸引プレートの応答性が向上
する。これによってスペース的な制限のある球送り機構内においてソレノイド装置の出力
やレバー形状等に変更を加えずにソレノイド装置の同レバーに対する磁気的吸引力の強さ
を向上させることが可能となる。
【０００７】
また、発明２では請求項１に記載の発明の構成に加え、前記吸引プレートの側端部を前記レバーの揺動範囲において常時前記ソレノイド装置側の前記脚部に形成された前記耳部と対向配置させるようにしたことをその要旨とする。
これによって吸引プレートに対する脚部の端部の磁気吸引力はレバーの揺動範囲におい
て弱まることがなく吸引プレートはソレノイド装置の励磁動作に対して常に迅速に応答す
ることが可能となる。
【０００８】
また、発明３では請求項１に記載の発明又は２の構成に加え、前記ソレノイド装置の励磁状態において前記吸引プレートの表面は前記脚部の端部に磁気吸引力によって吸着されるとともに、同ソレノイド装置における前記磁心の他端側には同両脚部の間隔を保持する間隔保持プレートが配設され、同間隔保持プレートの表面には同脚部の端面と面一に突出されたリブ構造が形成されていることをその要旨とする。
吸引プレートはソレノイド装置の駆動に伴って吸引され左右２箇所の脚部の端部に磁気
的吸引力によって吸着される。ここにもし吸着時に両脚部のみによって支持されていると
すると両脚部の中間部分は磁心の他端（これも磁極となる）によって吸引されるため吸引
プレートは全体として撓まされることとなる。すると経年使用によって吸引プレートに湾
曲に伴う変形が生じてしまう可能性がある。その結果レバーの揺動に伴って吸引プレート
がレバーから脱落したり、レバーの揺動運動がスムーズに行われず、部材の振動や摩耗等
が生じるおそれがある。また、正確に脚部の端部に当接しない場合には磁気的吸引力の低
下が生じるおそれもある。
一方、発明３では吸引プレートは脚部の端面と面一に突出されたリブ構造によって支持されているため、吸引プレートが湾曲しにくくなり上記問題が生じることがなくなる。
【発明の効果】
【０００９】
上記各発明では、吸引プレートに対する磁気的吸引力を向上させることができるため、同じ能力のソレノイド装置において脚部の端部に耳部を突出形成させるほうが吸引プレートの応答性が向上することとなり、スペース的な制限のある球送り機構内においてソレノイド装置の出力やレバー形状等に変更を加えずにソレノイド装置の同レバーに対する磁気的吸引力の強さを向上させることが可能となる。
【図面の簡単な説明】
【００１０】
【図１】本発明を応用した実施の形態のパチンコ遊技機の正面図。
【図２】同じパチンコ遊技機の扉枠を取り外した状態の正面図。
【図３】同じパチンコ遊技機の発射機構部の拡大正面図。
【図４】図３における発射機構部の球送りユニットを前方に回動させた状態の正面図。
【図５】（ａ）及び（ｂ）は球送りユニットの左右側面図。
【図６】同じ球送りユニットの分解斜視図。
【図７】同じ球送りユニットの蓋の斜視図。
【図８】図３におけるＡ−Ａ線での断面図。
【図９】球送りユニット内のユニット本体内部のパチンコ球の状態を説明する説明図であって（ａ）はパチンコ球導入前、（ｂ）は導入されたパチンコ球が待機させられている状態、（ｃ）はソレノイド装置が励磁されてレバーが揺動してパチンコ球が落下し始めた状態。
【図１０】球送りユニット内のユニット本体内部のパチンコ球の状態を説明する縦断面図であって（ａ）はパチンコ球導入前、（ｂ）は導入されたパチンコ球が待機させられている状態、（ｃ）はソレノイド装置が励磁されてレバーが揺動してパチンコ球が落下し始めた状態。ガラスフレームの背面図。
【図１１】ソレノイド装置とレバーの関係を説明する部分断面図。
【図１２】ソレノイド装置の磁界の状態を説明する説明図。
【図１３】ソレノイド装置の下方方向の斜視図。
【図１４】（ａ）はソレノイド装置の平面図（ｂ）はソレノイド装置の底面図。
【図１５】図９（ａ）のＢ−Ｂ線での断面図。
【図１６】（ａ）は他の実施の形態のソレノイド装置とレバーの関係を説明する部分断面図、（ｂ）は同じく底面図。
【図１７】（ａ）は他の実施の形態のソレノイド装置とレバーの関係を説明する部分断面図、（ｂ）は同じく底面図。
【図１８】（ａ）は磁極に耳部のない場合において磁界内に吸引プレートを配置した場の磁束の流れの説明図（ｂ）は同じく耳部がある場合の磁束の流れの説明図。
【発明を実施するための形態】
【００１１】
以下、本発明の各実施の形態について図面に基づいて説明する。
まず、図１及び図２に基づいてパチンコ遊技機１１の構造の概略について説明する。パ
チンコ遊技機１１は支持枠体としての外枠１２を備えている。外枠１２は遊技ホールへの
設置の際にいわゆる島設備に取り付けられる四角形に枠組みされた木製の枠体である。
外枠１２内には本体枠１４が装着されている。遊技体の一部をなす本体枠１４はパチン
コ遊技機の構造的な中核を形成するパネル状の構成部材であって、外枠１２内において幕
板１３上に配置されている。図２に示すように、本体枠１４は正面視において略長方形の
外郭を備えたＡＢＳ製のパネルとされている。外枠１２に対して前方側に開放可能に取り
付けられている。本体枠１４の背面にはパチンコ遊技機１１の制御を行う図示しない各種
制御パネルが配設されている。
【００１２】
図２に示すように、本体枠１４の下部領域１６の右寄りには発射機構部１７が形成され
ている。発射機構部１７については後述する。本体枠１４の下部領域１６の右寄りには後
述する本体枠１４内部から放出される賞球等のパチンコ球を上受け皿３７及び下受け皿４
１に分配するパチンコ球分配機構部１８が配設されている。
下部領域１６の上方には遊技盤取り付けスペース２０が形成され、遊技盤２１が同スペ
ース２０内に配設されている。同スペース２０には略楕円形状に切り欠き形成された窓孔
２３が形成され、遊技盤２１の遊技面２１ａが同窓孔２３から前方に露出されている。遊
技面２１ａ上には、レール部材としての外レール２５と内レール２６が装着され遊技面２
１ａにおける遊技領域を画している。
【００１３】
本体枠１４の前面には扉枠３１が配設されている。図１に示すように、扉枠３１は本体
枠１４の正面から見た外郭と略一致した長方形形状の外郭の正面形状を有している。扉枠
３１は本体枠１４に対して開閉可能に取り付けられている。扉枠３１には遊技者が遊技面
２１ａを目視するための目視用窓孔３２が形成されている。目視用窓孔３２位置には図示
しないフレームに支持されたガラス板３３が扉枠３１裏面側に配設されている。
扉枠３１の前面側であって、目視用窓孔３２の左右及び上方には前方に膨出した装飾用
パネル３５が配設されている。装飾用パネル３５内には図示しないスピーカ装置や図示し
ない装飾ランプが配設されている。目視用窓孔３２の下方位置には、前側へ膨出した第１
の膨出部３６が設けられ、その第１の膨出部３６内側が上受け皿３７とされている。上受
け皿３７は図示しない払出装置より払い出された遊技球を一旦貯留し、一列に整列させな
がら発射機構部１７方向に導くための球貯留部とされる。
【００１４】
扉枠３１における第１の膨出部３６の下方位置には、前側へ膨出した第２の膨出部４０
が設けられ、その第２の膨出部４０内側が下受け皿４１とされている。下受け皿４１はパ
チンコ球分配機構部１８によって分配されたパチンコ球を貯留したり、遊技者の能動的な
操作に基づいて上受け皿３７から流下させたパチンコ球を貯留するための補助的な球貯留
部である。装飾用パネル３３、第１の膨出部３６及び第２の膨出部４０は全体としてデザ
イン的な統一が図られている。正面から見て下受け皿４１の左方位置には灰皿４２が配設
されている。下受け皿４１の右方位置にはパチンコ球発射用のハンドル４３が前方に突出
形成されている。
【００１５】
次に、前記発射機構部１７について詳しく説明する。発射機構部１７は遊技者のハンド
ル４３操作に基づいてパチンコ球を連続的に遊技面２１ａ方向に発射させるための構造を
有する機構部である。
図２〜図４に示すように、発射機構部１７のベース板５０は下部領域１６の取り付けス
ペース５１にボルト５２によって固定されている。ベース板５０には発射用レール５３、
パチンコ球発射装置５４及び球送りユニット５５がそれぞれ取着されている。発射用レー
ル５３はベース板５０の左方にその延出方向の延長線上に外レール２５が接続されるよう
に左肩上がりに配置されている。発射用レール５３の上端５３ａと前記外レール２５の下
部基端部２５ａとの間には跳躍空間４８が設けられている。発射されて外レール２５がに
乗り移ったものの遊技面２１ａに達し得なかったパチンコ球は跳躍空間４８から落下して
ファール球通路４９から下受け皿４１に導かれるようになっている。
ベース板５０の右方位置には発射用ソレノイド５８が内蔵されたパチンコ球発射装置５
４が配設されている。パチンコ球発射装置５４には発射用ソレノイド５８の励磁動作に応
じて進退する発射桿５６が配設されている。パチンコ球発射装置５４は発射桿５６が発射
用レール５３の延出方向と発射桿５６進退方向が一致するように発射用レール５３と同様
ベース板５０に対して左肩上がりとなるように固定されている。
発射桿５６先端の打ち出しヘッド５６ａに隣接した上部位置にはストッパ５７が配設さ
れている。球送りユニット５５から発射用レール５３上に送り出されたパチンコ球はスト
ッパ５７に当接して停止させられる。この停止位置が発射桿５６によるパチンコ球の最適
な打ち出し位置とされる。
【００１６】
発射用レール５３及びパチンコ球発射装置５４の上方には球送りユニット５５が配設さ
れている。
図６に示すように、球送りユニット５５はユニット本体６０と蓋６１を備えている。図
６及び図９（ａ）〜（ｃ）等に示すように、ユニット本体６０は前方壁６０ａ、上方壁６
０ｂ、左右側壁６０ｃ、６０ｄの４つの壁面から構成されている。前方壁６０ａは球送り
ユニット５５取り付けの際にパチンコ球発射装置５４と干渉しないように略台形に切り欠
かれている。前方壁６０ａの対向位置に蓋６１が配設されることで球送りユニット５５は
下面が開放されたボックス型形状を呈することとなる。尚、以下の球送りユニット５５の
説明においては、図６における奥側を前側あるいは表側とし、手前側を後側あるいは裏側
とする。また、図９（ａ）〜（ｃ）における左右方向をもって左右とする。
前方壁６０ａの裏面、つまりユニット本体６０の内側の２箇所には雌ネジ部が螺設され
た固定用脚部材６２が突設されており、ソレノイド装置６３がネジ６４によって同脚部材
６２に固着されている。
【００１７】
図１１及び図１２に示すように、ソレノイド装置６３はプラスチック製のボビン１０４
の外周に巻回されたソレノイド（コイル）１０５を備えている。図１１〜図１３に示すよ
うに、ボビン１０４は円筒部１０４ａと同円筒部１０４ａの上下の開口部周縁にそれぞれ
形成された方形の第１及び第２のフランジ１０６，１０７から構成されている。ソレノイ
ド１０５は円筒部１０４ａの外周において第１及び第２のフランジ１０６，１０７間に配
設されている。第２のフランジ１０７は間隔保持プレートに相当する。
ボビン１０４の円筒部１０４ａ内には円柱形形状の鉄合金製の磁心１０８が配設されてい
る。図１３及び図１４（ａ）（ｂ）に示すように、第２のフランジ１０７の裏面には円筒
部１０４ａの下部側開口部を包囲するリング状リブ１０９と左右方向に配置された前後方
向各４列の直線状リブ１１０が形成されている。
磁心１０８の上部中央には小径部１０８ａが形成され、磁心１０６の下部中央には大径
部１０８ｂが形成されている。小径部１０８ａは円筒部１０４ａの上方に突出するととも
に大径部１０８ｂはリング状リブ１０９内に嵌合されている。大径部１０８ｂの下面位置
はリング状リブ１０９の先端面よりも若干内側（円筒部１０４ａ内）に配置されている。      
【００１８】
第１のフランジ１０６の上面からソレノイド１０５の両側面にかけて脚部としての外フ
レーム１１１が配設されている。外フレーム１１１は磁心１０８と同材質から構成されて
いる。図１３に示すように、外フレーム１１１は上部水平部１１２と同上部水平部１１２
両端から同上部水平部１１２と直交して下垂する下垂部１１３，１１４とから構成される
断面略コ字状形状の外形形状の板体とされている。図１４（ａ）に示すように、上部水平
部１１２中央には透孔１１２ａが透設されている。
下垂部１１３，１１４にはそれぞれ前記ネジ６４の取り付け用のネジ孔が形成された取
り付け片１１６が折り曲げ形成されている。下垂部１１３，１１４の下端部はそれぞれ磁
心１０８の軸線に対して直交するように直線上に形成されている。左側の下垂部１１３の
下端の前後位置には一対の同形状の耳部１１５が下方に向かって突設されている。
【００１９】
外フレーム１１１は上部水平部１１２に形成された透孔１１２ａを第１のフランジ１０
６の上面に突出した小径部１０８ａに嵌合させられており、外フレーム１１１は小径部１
０８ａ頂部をプレスすることでボビン１０４に対して固定させられている。外フレーム１
１１の下垂部１１３，１１４はソレノイド１０５を左右方向から包囲し、その下端面はち
ょうど第２のフランジ１０７の裏面に形成されたリング状リブ１０９及び直線状リブ１１
０の下頂面と面一とされている。耳部１１５はこれら位置より下方位置まで進出させられ
ている。
尚、ソレノイド装置６３は実際には図９（ａ）〜（ｃ）に示すように、同図において（
つまり後方から見て）右上がりとなるように若干傾斜させられた状態で脚部材６２に固定
されている。
【００２０】
ソレノイド装置６３の下部位置にはレバー６５が配設されている。レバー６５は前方壁
６０ａの裏面に形成された取り付け軸受け６６に対してリベット７４によって揺動可能に
軸支されている。この軸受け６６位置がレバー６５の揺動基部とされる。レバー６５は軸
受け６６位置からソレノイド装置６３の下方の近接した位置を横切るように水平に延出さ
れた水平部６７と同水平部６７の先端寄りから下方に向かって下垂された下垂部６８とか
ら基本骨格が構成されている。水平部６７の上面には長方形形状に形成された鉄合金製の
吸引プレートとしての金属片７０が取着されている。
下垂部６８は横断面略方形の下垂部本体６９と下垂部本体６９の外側に形成された傾斜
部７１から構成されている。傾斜部７１は後方（つまりベース板５０側）に向かって下が
る傾斜面７１ａが形成されている。傾斜部７１の下垂部本体６９寄り側面には第１遮蔽壁
７２が形成されている。第１遮蔽壁７２は下垂部本体６９よりも前後方向において幅広に
構成されている。
レバー６５における水平部６７の下部位置には載置部としての小突片７３が形成されて
いる。レバー６５は水平部６７の裏面がこの小突片７３の上面によって支持されることに
よって水平部６７上面は水平に配置されることとなる。
水平部６７が小突片７３によって支持された状態では水平部６７上面の金属片７０は図
１１に示すように基部側は左側（つまり揺動基部寄り）の下垂部１１３に近接した位置に
配置され、右側（つまり先端寄り）の下垂部１１４は若干離間した位置に配置される。そ
して、ソレノイド装置６３が励磁されて金属片７０が吸着されたレバー６５が上方に揺動
した状態では金属片７０はそれぞれ両下垂部１１３，１１４の下端面に吸着される。金属
片７０の側端はレバー６５の揺動範囲において左側の下垂部１１３の下部に形成された耳
部１１５と対向配置させられている。
【００２１】
前方壁６０ａのソレノイド装置６３の右方位置には導入孔７５が形成されている。導入
孔７５に面して前方壁６０ａの裏面には導入孔７５周囲を包囲する導入孔７５の補強を兼
ねた筒状の導入通路７６が形成されている。図６及び図９（ａ）〜（ｃ）に示すように、
導入通路７６には後方に向かって下がるように傾斜した第１傾斜部７７とレバー６５方向
に向かって下がるように傾斜した第２傾斜部７８が形成されている。第２傾斜部７８の下
端から下方に向かって垂直壁部７９が形成されており、この垂直壁部７９とレバー６５の
下垂部６８との間がパチンコ球が落下する落下通路８０とされている。導入通路７６はレ
バー６５の下垂部６８方向が切り欠かれた形状とされ、導入孔７５から球送りユニット５
５内に導入されたパチンコ球は第１及び第２傾斜部７７，７８によって導入通路７６を切
り欠き方向に導かれ落下通路８０から発射用レール５３方向に導かれるようになっている
。
導入通路７６のレバー６５側の側面はパチンコ球の落下通路８０方向への移動に支障の
ない程度に後方に張り出して第２遮蔽壁８３を構成している。導入通路７６の後部には係
合部８４が形成されている。
【００２２】
前方壁６０ａの裏面であってソレノイド装置６３の左方には後方に向かって突設された
ラッチ片８５が形成されている。右側壁６０ｃには上下２箇所の切れ込み８６が形成され
この切れ込み８６に挟持された部分がラッチ片８７とされている。左側壁６０ｄの外側に
は上下一対の張り出しプレート８８が形成され、同各張り出しプレート８８から回動ピン
８９が下垂されている。前方壁６０ａの前面には扉枠３１の位置決め用の突起９０が突設
されている。
【００２３】
蓋６１は後方壁６１ａ、上方小壁６１ｂ、左右小側壁６１ｃ、６１ｄの４つの壁面から
構成されている。後方壁６１ａの左方位置には透孔９１及び係合縁９２が形成されている
。後方壁６１ａの右側方には鈎状に形成された封塞片９３が突設されている。後方壁６１
ａの右下方位置には下方に向かって突出した押さえ片９４が形成されている。
蓋６１がユニット本体６０に装着された状態で前記ユニット本体６０側のラッチ片８５
は同係合縁９２に係合され、図８に示すように、封塞片９３は前記ユニット本体６０側の
導入通路７６の後方に嵌合されるとともに封塞片９３前縁は係合部８４に係合されること
となる。
この状態で図９（ｃ）に示すようにソレノイド装置６３及びレバー６５の水平部６７は
前方壁６０ａ及び後方壁６１ａに前後から挟持されることとなる。また、図９（ｃ）に示
すように、押さえ片９４は落下通路８０の上部位置後方に配置されることとなる。
前方壁６０ａ及び後方壁６１ａにはソレノイド装置６３と対峙する位置にそれぞれ放熱
孔９５が形成されている。
【００２４】
このような球送りユニット５５はベース板５０の上部位置に配設されたユニットベース
９６前面に装着されている。図３及び図４に示すように、ユニットベース９６には前記掛
止ピン８９が軸支される軸受け９７と前記ラッチ片８７が係合される透孔９８及び係合縁
９９が形成されている。球送りユニット５５はユニットベース９６にセット状態された状
態ではラッチ片８７が係合縁９９と係合されている。そしてラッチ片８７と係合縁９９と
の係合関係を解除することで掛止ピン８９を基部として図３に示すセット状態から図４に
示すように前方に回動させることが可能となる。この図４の状態から球送りユニット５５
を上方に持ち上げる掛止ピン８９が軸受け９７から抜け、球送りユニット５５をユニット
ベース９６から取り外すことができる。
【００２５】
次に、このように構成されたパチンコ遊技機１１において、パチンコ球を球送りユニッ
ト５５を経由して発射用レール５３の打ち出し位置にセットさせる動作について説明する
。
図１の扉枠３１を閉じた状態においては図３に示すように上受け皿３７から発射機構部
１７方向にパチンコ球を導く流下通路１００の開口部１０１が球送りユニット５５の導入
孔７５の前面位置に重複状に配置される。尚、下記に説明する球送りユニット５５による
１回の球送り動作は実際はごく短時間に実行されるものである。
図９（ａ）及び図１０（ａ）はパチンコ球が球送りユニット５５内に導入される前の状
態である。この状態では球送りユニット５５内のレバー６５は未だソレノイド装置６３が
励磁されていないため、小突片７３によって支持された状態にある。
導入孔７５からパチンコ球Ｐが導入されるとパチンコ球Ｐは第１及び第２傾斜部７７，
７８によって図９（ｂ）において若干左方向にシフトさせられながら転動する。
この時、導入通路７６の後方は蓋６１の後方壁６１ａによって封塞されているためパチ
ンコ球Ｐは導入通路７６を後方に向かって転動してユニット５５外に飛び出してしまうこ
とはない。
次いで、図９（ｂ）及び図１０（ｂ）に示すように転動したパチンコ球Ｐはレバー６５
（水平部６７）の先端角部１０２と導入通路７６の第２傾斜部７８と垂直壁部７９の交差
する角部１０３とによって落下通路８０方向に落下せずに落下通路８０入り口付近で一旦
保持される。つまり、両角部１０２，１０３との間がパチンコ球Ｐの径よりも狭い隘路と
されているため、ソレノイド装置６３の非励磁状態においてはこの位置でパチンコ球Ｐは
待機させられることとなる。また、待機位置においては押さえ片９４によって後方側への
転動が防止されている。
【００２６】
このようなパチンコ球Ｐの待機状態にあって、遊技者のハンドル４３の操作に基づいて
パチンコ球発射装置５４の駆動が開始されると、パチンコ球発射装置５４の発射用ソレノ
イド５８の励磁タイミングに同期して球送りユニット５５のソレノイド装置６３の励磁が
開始される。
ここに、図１２に基づいて本実施の形態におけるソレノイド装置６３の励磁状態での磁
界の状態を説明する。磁心１０８はソレノイド１０５に通電されることによって励磁され
小径部１０８ａ側がＮ極、大径部１０８ｂ側がＳ極となる。小径部１０８ａには外フレー
ム１１１が固着されているため、外フレーム１１１も磁化され結局両下垂部１１３，１１
４の下端位置はＮ極とされる。このような磁界内に配置される金属片７０は磁気誘導によ
って磁化されることとなって金属片７０は両下垂部１１３，１１４の下端面に吸着される
こととなる。
この際に左側の下垂部１１３には耳部１１５が形成され、磁束はこの耳部１１５から金
属片７０の側端面から金属片７０に沿って流れてＳ極（大径部１０８ｂ）へと導かれるこ
ととなる。そのため、耳部１１５を形成しないケースよりも強い磁気的吸引力で金属片７
０は吸着されることとなる。
【００２７】
金属片７０がソレノイド装置６３に吸着されるに伴ってレバー６５は軸受け６６位置を
基部として上方に揺動する。つまり、小突片７３から離間することとなる。この変位に伴
ってパチンコ球Ｐを保持していた前記両角部１０２，１０３との間が開きパチンコ球Ｐは
落下通路８０方向に落下する（図９（ｃ）及び図１０（ｃ）の状態）。落下したパチンコ
球Ｐは傾斜面７１ａに案内されて発射用レール５３上に送り出される。
ソレノイド装置６３の励磁時間はごく短いため、レバー６５は励磁が解除されると自重
によって下方に揺動し、再び図９（ａ）及び図１０（ａ）の小突片７３によって支持され
た状態に復帰する。落下したパチンコ球Ｐに続くパチンコ球Ｐはこの原状態に復帰したレ
バー６５と導入通路７６の前記両角部１０２，１０３によって待機位置で保持されること
となる。以下は、上記を繰り返すこととなる。
【００２８】
上記のように構成することによって本実施の形態では次のような効果を奏する。
（１）レバー６５は金属片７０がソレノイド装置６３によって吸引されることによって上
方に揺動するが、その際に金属片７０は下垂部１１３の一対の耳部１１５によって挟まれ
た位置に配置されているため、このような耳部１１５が形成されていない同タイプのソレ
ノイド装置と比べて磁気的吸引力が強く作用し、ソレノイド装置６３が励磁された場合に
より早くレバー６５は上方に揺動することとなる。その結果、パチンコ球発射装置５４に
よる動作に正確に同期させることが可能となる。
また、パチンコ球発射装置５４の発射用ソレノイド５８の励磁タイミングをより短くす
るような設定（つまりパチンコ球発射の間隔を短くする）としてもこのように強い磁気的
吸引力を発揮させることによってその早くなったタイミングに追随させるような制御が可
能となる。
更に、球送りユニットの設計において内部スペースを削減せざるを得ない場合において
ソレノイド装置としてより小さいものを採用することに伴ってその定格出力を落とさざる
を得ない場合であってもこのような耳部を形成させることによって極力吸引プレートへの
磁気的吸引力を向上させることが可能となる。
（２）金属片７０が吸着されるソレノイド装置６３の下面は両下垂部１１３，１１４の下
端面とリング状リブ１０９及び直線状リブ１１０の下頂面とが面一に形成されているため
、金属片７０は両下垂部１１３，１１４の下端面のみではなくこれらリブ１０９，１１０
にも当接することとなる。そのため、経年使用しても金属片７０が変形しにくく、金属片
７０がレバー６５から外れたり、レバー６５の揺動運動がスムーズに行われず、部材の振
動や摩耗等が生じてしまったり、金属片７０が正確に脚部の端部に当接しない場合の磁気
的吸引力の低下等の各種の問題が生じるおそれがなくなる。
また、リング状リブ１０９及び直線状リブ１１０によって第２のフランジ１０７の曲げ
強度が向上する結果としてソレノイド装置６３自体の剛性が向上することとなる。
【００２９】
本発明は以下のような態様に変更して実施することが可能である。
・上記実施の形態では左側の下垂部１１３のみに耳部１１５を形成したが、図１７（ａ
）に示すように右側の下垂部１１４に耳部１１５を形成するようにしても構わない。この
場合でも磁気的吸引力は向上するからである。但し、この場合には常時金属片７０側端と
対峙している左側の下垂部１１３に比べて磁気的吸引力を向上させる効果はそれほど大き
くはない。もちろん、常時金属片７０側端と対峙するように耳部を長くしてもよい。その
場合には左側の下垂部１１３の耳部１１５と同等の磁気的吸引力向上が期待できる。
・上記実施の形態では下垂部１１３の下端に一対の耳部１１５を形成し金属片７０を前
後から挟むような構成であったが、耳部１１５の数は一対ではなく前後いずれか一方だけ
であっても構わない。要は耳部１１５が金属片７０の側端面位置まで進出するようになっ
ていればよい。
【００３０】
・図１６（ａ）及び（ｂ）に示すように、金属片７０の幅を耳部１１５の内側間隔より
も広く構成し、金属片７０の耳部１１５と干渉する位置において切り欠き部１２０を形成
するようにしてもよい。このように金属片７０の側端面によって耳部１１５の端部を三方
から包囲するように構成すれば、耳部１１５に対して近接する金属片７０の側端面量が増
加するため、更に磁気的吸引力が向上することとなる。
・図１７（ａ）及び（ｂ）に示すように、長方形形状の金属片７０の先端に屈曲して上
方に向かって延出される延出部１２１を形成し、下垂部１１４の外側面にこの延出部１２
１を沿わせるようにしてもよい。このように構成すれば金属片７０に流れる磁束が増える
ため更に磁気的吸引力が向上することとなる。
・耳部１１５の形状や厚みや長さ等は適宜変更可能である。
・リング状リブ１０９及び直線状リブ１１０の形状は適宜変更可能である。
・上記実施の形態においてはいわゆる第１種始動口付きパチンコ遊技機に応用したが、
パチンコ遊技機の種類は特に問わない。封入式のパチンコ遊技機に応用することも可能で
ある。
その他、本発明の趣旨を逸脱しない態様で実施することは自由である。
【符号の説明】
【００３１】
１１…パチンコ遊技機、３７…受け皿としての上受け皿、４９…パチンコ球通過領域、
６３…ソレノイド、５３…レール部材としての発射レール、６５…レバー、７０…吸引プ
レートとしての金属片、６３…ソレノイド装置、１０５…ソレノイド、１０７…間隔保持
プレートとしての第２のフランジ、１０８…磁心、１１１…脚部としての外フレーム、１
１３，１１４…脚部としての下垂部、１１５…耳部。
【図１】
2011152453.tif 000003
【図２】
2011152453.tif 000004
【図３】
2011152453.tif 000005
【図４】
2011152453.tif 000006
【図５】
2011152453.tif 000007
【図６】
2011152453.tif 000008
【図７】
2011152453.tif 000009
【図８】
2011152453.tif 000010
【図９】
2011152453.tif 000011
【図１０】
2011152453.tif 000012
【図１１】
2011152453.tif 000013
【図１２】
2011152453.tif 000014
【図１３】
2011152453.tif 000015
【図１４】
2011152453.tif 000016
【図１５】
2011152453.tif 000017
【図１６】
2011152453.tif 000018
【図１７】
2011152453.tif 000019
【図１８】
2011152453.tif 000020